(57)【要約】【課題】ボルトとナットの緩み止め構造において、極めて簡単な作業で確実にボルト２に対するナット３の位置を固定する。【解決手段】ボルト２とナット３と前記ナットの緩み止めキャップ４とを備え、ボルト２は、頭部２ａと、頭部２ａから伸び外周面にネジが切られている軸部２ｂと、軸部２ｂの先端面から柱状に突出している嵌合突起２ｃとを有し、緩み止めキャップ４は、ナット３の外周部分に嵌りナット３の回転を止める凹部４ａと、ボルト２の嵌合突起２ｃに嵌りボルト２の回転を止める突起用開孔４ｂとを有し、ボルト２の軸部２ｂのネジに螺合させたナット３及び嵌合突起２ｃに同時に嵌めることによってボルト２に対するナット３の回転を止める。この構成において、ナット３及び嵌合突起２ｃに緩み止めキャップ４を嵌めるだけの極めて簡単な作業により、ボルトに対するナットの回転が確実に止められ、緩みが防止される。【選択図】  図１
2014109335.tif 000002
【特許請求の範囲】
【請求項１】
ボルトとナットと前記ナットの緩み止めキャップとを備え、
前記ボルトは、頭部と、前記頭部から伸び外周面にネジが切られている軸部と、前記軸部の先端面から柱状に突出している嵌合突起と、を有し、
前記緩み止めキャップは、前記ナットの外周部分に嵌りナットの回転を止めるナット用凹部と、前記ボルトの嵌合突起に嵌りボルトの回転を止める突起用開孔又は凹部とを有し、前記ボルトの軸部のネジに螺合させたナット及び前記嵌合突起に同時に嵌めることによって前記ボルトに対するナットの回転を止めることを特徴とするボルトとナットの緩み止め構造。
【請求項２】
前記嵌合突起は断面形状に特徴を有する鍵状突起で、緩み止めキャップの突起用開孔又は凹部が、前記鍵状突起が嵌合する鍵穴となっている請求項１に記載のボルトとナットの緩み止め構造。
【発明の詳細な説明】
【技術分野】
【０００１】
本発明は、ボルトに取り付けたナットの緩み止め構造に関する。
【背景技術】
【０００２】
従来、ボルトに取り付けたナットの緩み止め構造として、締結用ナットの上に、緩み止めナットを取り付けて締結用ナットの回転を止めるダブルナット法が知られている。また、従来のダブルナット法の改良例として、ボルトのネジ山に噛み合うように偏芯させた緩み止めナットを用いるダブルナット法が提案されている(特許文献１）。
【先行技術文献】
【特許文献】
【０００３】
【特許文献１】特開２００５−４８８０７号公報
【発明の概要】
【発明が解決しようとする課題】
【０００４】
しかしながら、従来のダブルナット法によるボルトとナットの緩み止め構造は、緩み止め用のナットをボルトに螺合させる作業が手間であった。
【０００５】
本発明は、上記従来の問題を解決するためになされたものであり、極めて簡単な作業で確実にナットの緩みを防ぐことができる、ボルトとナットの緩み止め構造を提供することを目的とする。
【課題を解決するための手段】
【０００６】
上記目的を達成するために本発明は、ボルトとナットと前記ナットの緩み止めキャップとを備え、前記ボルトは、頭部と、前記頭部から伸び外周面にネジが切られている軸部と、前記軸部の先端面から柱状に突出している嵌合突起と、を有し、前記緩み止めキャップは、前記ナットの外周部分に嵌りナットの回転を止めるナット用凹部と、前記ボルトの嵌合突起に嵌りボルトの回転を止める突起用開孔又は凹部とを有し、前記ボルトの軸部のネジに螺合させたナット及び前記嵌合突起に同時に嵌めることによって前記ボルトに対するナットの回転を止めることを特徴とする。
【０００７】
また、前記嵌合突起は断面形状に特徴を有する鍵状突起で、緩み止めキャップの突起用開孔又は凹部が、前記鍵状突起が嵌合する鍵穴となっていることが好ましい。
【発明の効果】
【０００８】
本発明によれば、ボルトの端の所望の位置に取り付けたナット及び嵌合突起に同時に緩み止めキャップを嵌めるだけの極めて簡単な作業により、ボルトに対するナットの回転が確実に止められ、これによりナットの緩みが防止される。
【図面の簡単な説明】
【０００９】
【図１】（ａ）〜（ｃ）は、本発明のボルトとナットの緩み止め構造の一実施形態の分解斜視図。
【図２】（ａ）は同ボルトとナットの緩み止め構造の緩み止めキャップを示す上面図、（ｂ）は（ａ）のＡ−Ａ線断面図、（ｃ）は底面図。
【図３】（ａ）、（ｂ）は、同ボルトとナットの緩み止め構造の緩み止めキャップの突起用開孔に遊嵌しているボルトの嵌合突起の可動範囲を示す、ボルトとナットと緩み止めキャップの上面図。
【図４】（ａ）は同ボルトとナットの緩み止め構造を用いて側溝にグレーチングを留める実施例についての斜視図、（ｂ）は側溝に固定した後のグレーチングの斜視図。
【発明を実施するための形態】
【００１０】
本発明のボルトとナットの緩み止め構造は、頭部及びネジ切りされている軸部を有し、軸部の先端面から軸に沿って突出している嵌合突起を備えているボルトと、ナットと、緩み止めキャップと、を備えている。緩み止めキャップは、ボルトの先端部分に取り付けたナット及びボルトの嵌合突起に同時に嵌る凹部及び突起用開孔を有している。ボルトの先端側に取り付けたナット及びボルトの嵌合突起に緩み止めキャップを嵌めるだけの極めて簡単な作業により、ボルトに対するナットの回転が確実に止められ、これによりナットの緩みが防止される。
【００１１】
図１（ａ）は、本発明の一実施形態に係るボルトとナットの緩み止め構造１を示す。ボルトとナットの緩み止め構造１は、ボルト２と、ナット３と、ボルトとナットの緩み止めキャップ４とで構成されている。
【００１２】
ボルト２は、頭部２ａと、頭部２ａから伸び外周面にネジが切られている軸部２ｂと、軸部２ｂの先端面から軸に沿って突出している嵌合突起２ｃと、を有している。嵌合突起２ｃは、多角形の断面、本実施形態においては矩形の断面形状を有する柱状物である。ナット３は、６角ナットである。
【００１３】
緩み止めキャップ４は、ナット３に嵌合する凹部４ａと、嵌合突起２ｃが嵌る略四角柱状の突起用開孔４ｂと、を備えている。緩み止めキャップ４の凹部４ａ及び突起用開孔４ｂは、ナット３及び嵌合突起２ｃに嵌まることで、ボルト２に対するナット３の回転を止める。“回転を止める”とは、ボルト２に対するナット３の回転を完全に止めること、又は遊びを伴いながら止めることを意味する。即ち、緩み止めキャップ４の凹部４ａ及び突起用開孔４ｂの寸法及び形状は、ナット３及び嵌合突起２ｃと略同寸同形状で、遊び無く嵌るように設定される場合の他、ナット３及び嵌合突起２ｃよりも僅かに大きく、ボルト２に対するナット３の回転は止めるが、ナット３及び嵌合突起２ｃが遊びのある状態で嵌っている（いわゆる遊嵌）状態に設定される場合がある。
【００１４】
図１（ｂ）は、先端部にナット３を取り付けた状態のボルト２と、ボルトとナットの緩み止めキャップ４を示す。図２（ｃ）は、ボルト２の先端部分に取り付けたナット３及びボルト２の嵌合突起２ｃに緩み止めキャップ４を嵌合させた状態を示す。作業者は、図１（ｃ）に示すように、緩み止めキャップ４をナット３及び嵌合突起２ｃに嵌合させるだけの極めて簡単な作業により、ボルト２に対するナット３の回転を確実に止めて該ナット３の緩み止めを行うことができる。
【００１５】
図２（ａ）（ｂ）（ｃ）は、緩み止めキャップ４の形状を詳細に説明するための図である。凹部４ａは、６角ナット３用の６つの角が嵌合する部分を２０度、４０度とずらして３組分、計１８個の角を設けたいわゆる１８角のソケットである。例えば、本実施形態に係るボルトとナットの緩み止め構造１を、グレーチングのように平らな個所で用いられる部材を側溝に固定するのに使用する場合、凹部４ａは、嵌めやすさを考慮して、遊びのある状態でナット３が嵌る寸法に設定する。しかし、例えば、外部からの振動によって緩み止めキャップ４が外れる虞のある個所、又は、逆さまの状態で用いられ得る個所に使用する場合には、凹部４ａは、遊びなくかたく嵌る寸法に設定する。凹部４ａの縦方向の長さ(深さ)は、ナット３のボルト２の先端部への取り付け位置（上下位置）の変動範囲を考慮して、緩み止めキャップ４をナット３及び嵌合突起２ｃに確実に嵌めることができる長さに設定する。
【００１６】
突起用開孔４ｂの長手方向の長さＬ１は、比較用に点線で示す断面略長方形の嵌合突起２ｃの長辺の長さＬ２よりも僅か、例えば０．５ｍｍ〜１．０ｍｍ程長い。突起用開孔４ｂの短手方向の長さＷ１は、嵌合突起２ｃの短辺の長さＷ２のよりも長く嵌合突起２ｃが所望の範囲で回動できる値に設定されている。嵌合突起２ｃの短手側の両辺の形状は、嵌合突起２ｃが突起用開孔４ｂ内で回動することによって描く円弧形状を有している。このような形状を採用することによって、嵌合突起２ｃは、突起用開孔４ｂに、所望の範囲で回動可能に遊嵌することができる。ナット３をボルト２の中ほどの位置に留めるには、凹部４ａの縦方向の長さ(深さ）が長い緩み止めキャップ４が必要になる。この場合、長さＬ１と長さＬ２との差を例えば０．５ｍｍ程にすることによって、緩み止めキャップ４の突起用開孔４ｂの長手方向のガタつきが低減される。
【００１７】
図３（ａ）は、ナット３及び嵌合突起２ｃを凹部４ａ及び突起用開孔４ｂに嵌めた一例を示す。図３（ｂ）は、突起用開孔４ｂの寸法が、嵌合突起２ｃを突起用開孔４ｂに嵌めた図３（ａ）の状態から、緩み止めキャップ４を反時計回りの方向に２０度回動できる寸法であることを示す。回動できる角度は、凹部４ａに設けた６角ナット３用の６つの角の組の数が３組の場合は２０度、４組の場合は１５度、のように、６０度を６つの角の組の数で割り算して求まる角度以上となるように設定する。嵌合突起２ｃを突起用開孔４ｂに嵌めた状態で、キャップ４を押さえつつ、時計回り又は反時計回りに回動することによって、凹部４ａに設けた３組の６つの角の組のいずれか１組が、６角ナット３に嵌まる。即ち、緩み止めキャップ４は、ナット３及び嵌合突起２ｃの位置関係によらず、該ナット３及び嵌合突起２ｃに同時に嵌めることができる。
【００１８】
上記構成のボルトとナットの緩み止め構造１では、ボルト２の先端部分にナット３を取り付けた後、緩み止めキャップ４を被せるだけの極めて簡単な作業により、ボルト２に対するナット３の回転が確実に止められ、ナット３の緩みが防止される。
【００１９】
図４（ａ）、（ｂ）は、路上に設けた側溝１０に、グレーチング１３を取り付ける際に、本実施形態に係るボルトとナットの緩み止め構造１を用いた実施例を示す。説明の便宜のため本図には、側溝１０及びグレーチング１３の一部のみが示されている。ボルト２は、コンクリート製の側溝１０を成型する際に所定位置に埋設され、固定されている。図４（ａ）に示すように、グレーチング１３は、受枠１１をボルト２上に置いてナット１２で留め、グレーチング１３を受枠１１上に置いてワッシャ１４を介してナット３で留め、その上にキャップ４及びカバー１５を被せることによって側溝１０に取り付けられる。図４（ｂ）は、グレーチング１３の側溝１０への取り付けが完了した状態を示す。カバー１５は、グレーチング１３上を歩く通行者が躓くのを防ぎ、緩み止めキャップ４が外れないようにするために用いられている。
【００２０】
なお、本発明は、上記実施形態の構成に限られず、発明の趣旨を変更しない範囲で種々の変形が可能である。例えば嵌合突起２ｃは、突起用開孔４ｂに嵌めることによってボルト２に対するナット３の回転を止めることができるものであれば、矩形の断面の他に、３角形、５角形または、楕円形等の断面のものを用いてよい。
【００２１】
更には、Ｉ字状、Ｌ字状、Ｕ字状等の断面形状に特徴を有する複数種類の鍵状の嵌合突起２ｃを有する複数のボルト２と、対応する断面形状の突起用開孔４ｂ(鍵穴）を有し、サイズ又は嵌り具合（遊びの有無）等の異なる複数の緩み止めキャップ４を用意してもよい。この場合、ボルト２の嵌合突起２ｃは、鍵として機能し、対応する緩み止めキャップ４の正確な組み合わせによる取り付けを可能にする。
【００２２】
また、緩み止めキャップ４の大きさによっては、突起用開孔４ｂの代わりに、キャップの蓋部分に嵌合突起２ｃを収納できる凹部を設けてもよい。
【産業上の利用可能性】
【００２３】
本発明のボルトとナットの緩み止め構造は、ボルトの先端部分にナットを取り付けて用いる種々の用途に使用することができる。
【符号の説明】
【００２４】
１          ボルトとナットの緩み止め構造
２          ボルト
２ａ        頭部
２ｂ        軸部
２ｃ        嵌合突起
３          ナット
４          緩み止めキャップ
４ａ        凹部
４ｂ        突起用開孔
【図１】
2014109335.tif 000003
【図２】
2014109335.tif 000004
【図３】
2014109335.tif 000005
【図４】
2014109335.tif 000006